(57)【要約】【課題】  前方に置かれた平面鏡またはカメラに接続されたディスプレイに、正面から見た前姿と背面から見た後ろ姿及び側面から見た横姿の各虚像等による、姿の２〜４面を同時に映し出すことができるようにする。【解決手段】  開き角度がほぼ９０°である左右両反射平面鏡２ａ，２ｂからなる反射用２面鏡２と、反射用２面鏡２の前方に置かれる直視用平面鏡１とをそれぞれ直立した姿勢で相対向するように配置し、物体像Ｍを反射用２面鏡２の中心線ＣＬより反射用２面鏡２の左右いずれか一方の反射平面鏡２ａ（又は２ｂ）側の鏡面内に位置させて、その物体像Ｍの背面からの光線Ｌ１，Ｌ２を２回反射させて物体像Ｍの後ろ姿の虚像ｍ２と、側面からの光線Ｌ３，Ｌ４とＬ５，Ｌ６を１回反射させて物体像Ｍの横姿の虚像ｍ３，ｍ４及び物体像Ｍの正面から見た前姿の虚像ｍ１を直視用平面鏡１に同時に映し出す。【選択図】図２
2009134295.tif 000002
【特許請求の範囲】
【請求項１】
開き角度がほぼ９０°である左右両反射平面鏡からなる反射用２面鏡と、該反射用２面鏡の前方に置かれる直視用平面鏡とをそれぞれ直立した姿勢で相対向するように配置し、物体像を上記反射用２面鏡の中心線より該反射用２面鏡の左右いずれか一方の反射平面鏡側の鏡面内に位置させて、その物体像の背面からの光線を２回反射させて該物体像の後ろ姿の虚像と、側面からの光線を１回反射させて該物体像の横姿の虚像及び該物体像の正面から見た前姿の虚像を上記直視用平面鏡に同時に映し出すことを特徴とする姿の複数面を同時に見る方法。
【請求項２】
開き角度がほぼ９０°である左右両反射平面鏡からなる反射用２面鏡と該反射用２面鏡の前方に置かれる直視用平面鏡とをそれぞれ直立した姿勢で相対向するように配置し、上記直視用平面鏡に物体像の正面から見た前姿の虚像と、上記反射用２面鏡による反射光線によって得られる該物体像の背面から見た後ろ姿の虚像又は上記左右両反射平面鏡による反射光線によって得られる該物体像の側面から見た横姿の虚像をそれぞれ同時に映し出すことを特徴とする姿の複数面を同時に見る方法。
【請求項３】
開き角度がほぼ９０°である左右両反射平面鏡からなる反射用２面鏡と該反射用２面鏡の前方に置かれるカメラとを用い、そのカメラと直立した姿勢の反射用２面鏡とを相対向するように配置して、物体像の正面から見た前姿と、上記反射用２面鏡による該物体像の背面から見た後ろ姿の虚像及び上記左右両反射平面鏡による該物体像の側面から見た横姿の虚像、又は上記後ろ姿の虚像或いは上記横姿の虚像を上記カメラで撮影した映像としてディスプレイにそれぞれ同時に映し出すことを特徴とする姿の複数面を同時に見る方法。
【発明の詳細な説明】
【技術分野】
【０００１】  本発明は、正面から見た物体像の前姿と背面から見た後ろ姿又は側面から見た横姿、更にまた前姿と後ろ姿及び横姿等の虚像を前方に置かれた平面鏡により、又はこれらの姿のカメラで撮影した映像をディスプレイにより見ることができる、姿の複数面を同時に見る方法に関する。
【背景技術】
【０００２】  従来用いられている姿見は、１個の平面鏡か平面鏡の両側に該平面鏡との開き角度を変えることができる平面鏡を取り付けた３面鏡であって、いずれの姿見も前面に置かれた平面鏡では姿の一面側しか見ることができない。他方、美容院等では、合わせ鏡を用いてセットし終えた髪の後ろ姿を前方に置かれた平面鏡で部分的に見ることもできるが、目をそらしたり身体を動かして見なければならず、非常に不便であった。
【発明の開示】
【発明が解決しようとする課題】
【０００３】  本発明はこのような問題を解決したものであって、その目的は、開き角度がほぼ９０°である反射用２面鏡と、該反射用２面鏡の前方に置かれた直視用平面鏡とを用いて、直視用平面鏡に物体像（本人像）の正面から見た前姿と反射用２面鏡による反射光線を利用して背面から見た後ろ姿又は側面から見た横姿の虚像を同時に映し出すことができる姿の複数面（２面〜４面）を同時に見る方法を提供することにある。【０００４】  ところで、直視用平面鏡に映し出される虚像は本人だけは見ることができても他人は見られないという問題がある。そこで、本発明の他の目的は、物体像となる本人は勿論のこと他人も物体像の正面から見た前姿と他の姿の虚像を見ることができるように、上記直視用平面鏡の代わりにカメラとディスプレイを用いて、上記前姿と反射用２面鏡に映し出された上記他の姿の虚像を該カメラで撮影した映像としてディスプレイに映し出すことができる姿の複数面を同時に見る方法を提供することにある。
【課題を解決するための手段】
【０００５】  本発明の上記目的の一つを達成するするために、請求項１に係る発明の特徴とする姿の複数面を同時に見る方法は、開き角度がほぼ９０°である左右両反射平面鏡からなる反射用２面鏡と、該反射用２面鏡の前方に置かれる直視用平面鏡とをそれぞれ直立した姿勢で相対向するように配置し、物体像を上記反射用２面鏡の中心線より該反射用２面鏡の左右いずれか一方の反射平面鏡側の鏡面内に位置させて、その物体像の背面からの光線を２回反射させて該物体像の後ろ姿の虚像と、側面からの光線を１回反射させて該物体像の横姿の虚像及び該物体像の正面から見た前姿の虚像を上記直視用平面鏡に同時に映し出すことにある。【０００６】  また、上記目的の一つと同様な目的のために、請求項２に係る発明の特徴とする姿の複数面を同時に見る方法は、開き角度がほぼ９０°である左右両反射平面鏡からなる反射用２面鏡と該反射用２面鏡の前方に置かれる直視用平面鏡とをそれぞれ直立した姿勢で相対向するように配置し、上記直視用平面鏡に物体像の正面から見た前姿の虚像と、上記反射用２面鏡による反射光線によって得られる該物体像の背面から見た後ろ姿の虚像又は上記左右両反射平面鏡による反射光線によって得られる該物体像の側面から見た横姿の虚像をそれぞれ同時に映し出すことにある。【０００７】  更に、本発明の上記他の目的を達成するために、請求項３に係る発明の特徴とする姿の複数面を同時に見る方法は、開き角度がほぼ９０°である左右両反射平面鏡からなる反射用２面鏡と該反射用２面鏡の前方に置かれるカメラとを用い、そのカメラと直立した姿勢の反射用２面鏡とを相対向するように配置して、物体像の正面から見た前姿と、上記反射用２面鏡による該物体像の背面から見た後ろ姿の虚像及び上記左右両反射平面鏡による該物体像の側面から見た横姿の虚像、又は上記後ろ姿の虚像或いは上記横姿の虚像を上記カメラで撮影した映像としてディスプレイにそれぞれ同時に映し出すことにある。【０００８】  上記構成において、反射用２面鏡の開き角度は９０°±２°程度が実用面での許容範囲であって、前姿の例によると、開き角度が８８°になると虚像が二つになる現象が、また９２°になるとその虚像消えが始まって好ましくない。反射用２面鏡を構成する左右両反射平面鏡は、２枚の平面鏡が隣合った片側を隙間なく接触させた状態で、固定されているように実施するのが一般的であるが、蝶番着等により開閉可能に連結してもよい。直視用平面鏡の横幅は、基本的には反射用２面鏡の少なくとも両前縁間の開き幅に相当する寸法であって、直視用平面鏡と反射用２面鏡は、映し出される姿の部分の虚像に対応する大きさのものが用いられることは勿論であり、最大は等身大である。【０００９】  ここで、「一方の反射平面鏡側に物体像を位置させて」とは、物体像の背面からの光線が反射用２面鏡の左右両反射平面鏡により２回反射されると同時に、物体像の両側面からの光線が反射用２面鏡の左右両反射面鏡によりそれぞれ１回反射されて、後ろ姿と横姿の虚像を直視用平面鏡に同時に映し出すことができる位置のことである。なお、反射用２面鏡は、通常の平面鏡と同様な反射機能を発揮できれば、金属板が折り曲げ加工されている一体物として構成することも���能である。また、カメラは通常のＣＣＤ（電荷結合素子）カメラやデジタルカメラを用いるのが実用的である。
【発明の効果】
【００１０】  目をそらしたり身体を動かしたりしないで、前方に置かれている直視用平面鏡に前姿と後ろ姿及び横姿、或いは前姿と後ろ姿乃至は前姿と横姿をそれぞれ同時に映し出して見ることができる一方、直視用平面鏡の代わりにカメラとディスプレイを併用することで、上記姿の複数面をディスプレイの映像によって他人も同時に見ることが可能となり、例えば、ゴルフの室内練習所等でアドレスのフオ−ムをチェックする場合、美容院でセットし終えた髪の後ろ姿を見る場合、又は試着室等で用いて有効である。
【発明を実施するための最良の形態】
【００１１】  先ず、直視用平面鏡に映し出される虚像を見ることができる請求項１，２に係る発明方法の実施に用いられる姿見具を図１により説明すると、１は通常の直視用平面鏡、２は反射用２面鏡であって、その左右両反射平面鏡２ａ，２ｂは、図示の場合は２枚の平面鏡の隣合った片側が隙間なく接触して固定されているが、開閉可能であるように蝶番着されていてもよい。反射用２面鏡２はほぼ９０°（±２°）の開き角度で形成されており、直視用平面鏡１は一般の姿見をそのまま利用することも可能である。【００１２】  直視用平面鏡１と反射用２面鏡２の左右両反射平面鏡２ａ，２ｂはベニヤ板３に取り付けられていると共に（図示省略したが、取り付けには必要に応じて止め具を用いる）、裏側の周縁は金属製アングルの縁材４により補強されている。この直視用平面鏡１と反射用２面鏡２は、直視用平面鏡１を物体像Ｍの前方に位置させて、それぞれ直立した姿勢で相対向する状態にして用いられる。【００１３】  次に、物体像Ｍの前姿、後ろ姿及び横姿の虚像を直視用平面鏡１に同時に映し出す請求項１に係る発明方法を図２に示す光路図で説明する。反射用２面鏡２の中心線ＣＬより一方の反射平面鏡２ａ側（反射平面鏡２ｂ側でもよい）の鏡面内に物体像Ｍを位置させると、直視用平面鏡１には物体像Ｍの正面から見た前姿の虚像ｍ１が当然に映し出される一方、物体像Ｍの背面からの光線Ｌ１，Ｌ２のうちの一方の光線Ｌ１は反射平面鏡２ａの手前部分で反射して他方の反射面鏡２ｂに、他方の光線Ｌ２は反射鏡２ａの奥部分で反射して他方の反射平面鏡２ｂにそれぞれ入射し、それらの反射光線は直視用反射鏡１に入射して、該鏡面に後ろ姿の虚像ｍ２を映し出す。【００１４】  そして、物体像Ｍの一方の側面からの光線Ｌ３，Ｌ４は反射平面鏡２ａに、また他方の側面から出た光線Ｌ５，Ｌ６は反射平面鏡２ｂに入射し、それらの反射光線は直視用反射鏡１に入射して、両横姿の虚像ｍ３，ｍ４を映し出す。このように物体像の正面から見た前姿と背面から見た後ろ姿と側面から見た左右両横姿の４姿を、直射用平面鏡１に映し出される虚像ｍ１，ｍ２，ｍ３，ｍ４によって、該直射用平面鏡１を直視したままの状態で同時に見ることができる（図３を参照）。【００１５】  次いで、図４の光路図で示すように、物体像Ｍを、反射用２面鏡２の中心線ＣＬよりいずれか一方の反射平面鏡２ａまたは反射平面鏡２ｂ側（図示の場合は反射平面鏡２ａ側）であって、その鏡面内から外して直視用反射鏡１との中間に位置させた場合と、図５の光路図で示すように、物体像Ｍを、反射用２面鏡２の鏡面内で、その反射用２面鏡２の中心線ＣＬ上に位置させた場合の請求項２に係る発明方法を説明する。【００１６】  先ず、図４に示す場合、直視用平面鏡１には物体像Ｍの正面から見た前姿の虚像ｍ５が当然に映し出されると共に、該物体像Ｍの背面からの光線Ｌ７，Ｌ８の反射用２面鏡２で２回反射した反射光線による後ろ姿の虚像ｍ６も映し出される。よって、物体像Ｍの正面から見た前姿と背面から見た後ろ姿の２姿を直視用平面鏡１に映し出される虚像ｍ５と虚像ｍ６によって同時に見ることができる。また、図５に示す場合、直視用平面鏡１には物体像Ｍの正面から見た前姿の虚像ｍ７が当然に映し出されると共に、該物体像Ｍの両側面からの光線Ｌ９，Ｌ１０とＬ１１，Ｌ１２の反射平面鏡２ａ，２ｂによる各々の反射光線で得られる横姿の両虚像ｍ８，ｍ９も映し出される。よって、物体像Ｍの正面から見た前姿と左右両横姿の３姿を直視用反射鏡１に映し出される虚像ｍ７，虚像ｍ８，ｍ９により見ることができる。【００１７】  更に、本人と同様に他人も姿の複数面を同時に見ることができる請求項３に係る発明方法を図６により説明する。この方法の実施では、図１〜５の光路図で示されている直視用平面鏡１の代わりにカメラ５（ＣＣＤカメラやデジタルカメラが用いられる）とディスプレイ６が用いられる。即ち、カメラ５と直立した姿勢の反射用２面鏡２は、カメラ５を反射用２面鏡２の好ましくは中心線ＣＬ上で物体像Ｍの前方に位置させて、相対向する状態で設置されており、カメラ５には該カメラで撮影した映像を映し出すディスプレイ６が接続されている。【００１８】  上記物体像Ｍの４面の姿をディスプレイ６に映し出す場合には、その物体像Ｍを反射用２面鏡２の中心線ＣＬより一方の反射平面鏡２ａ側（反射平面鏡２ｂ側でもよい）の鏡面内に位置させ、物体像Ｍの正面から見た前姿と上記反射用２面鏡に映し出される該物体像Ｍの背面から見た後ろ姿の虚像（背面からの光線Ｌ１３の反射用２面鏡による反射で得られる）及び物体像Ｍの側面から見た左右の横姿の虚像（側面からの光線Ｌ１４，Ｌ１５の反射平面鏡２ａ，２ｂによる反射で得られる）、即ち、図３に示すような４面の姿を、各各の位置を同図で逆にした状態の映像として、カメラ５を介してディスプレイ６に同時に映し出すことができる。【００１９】  また、図示説明は省略したが、物体像Ｍを反射用２面鏡２の中心線ＣＬよりいずれか一方の反射平面鏡２ａ又は反射平面鏡２ｂ側であって、その鏡面内から外してカメラ５との中間に位置させるか、或いは物体像Ｍを反射用２面鏡２の鏡面内で、その反射用２面鏡２の中心線ＣＬ上に位置させると、前者の位置では物体像Ｍの正面から見た前姿と、上記反射用２面鏡に映し出される物体像Ｍの背面から見た後ろ姿の虚像を、後者の位置では物体像Ｍの正面から見た前姿と、上記反射平面鏡２ａ，２ｂに映し出される物体像Ｍの左右両側面から見た横姿の虚像を上記カメラ５で撮影した映像としてディスプレイ６にそれぞれ同時に映し出すことができる。なお、ディスプレイ６は必要に応じて複数個を設置して実施することもできる。
【図面の簡単な説明】
【００２０】
【図１】  請求項１，２に係る発明方法の実施に用いる姿見具を一部切り欠いて示す斜視図である。
【図２】  請求項１に係る発明方法を説明するための光路図である。
【図３】  姿の虚像が映し出された図２に示す直視用反射鏡の正面図である。
【図４】  請求項２に係る発明方法の一つの態様を説明するための光路図である。
【図５】  請求項２に係る発明方法の他の態様を説明するための光路図である。
【図６】  請求項３に係る発明方法の一つの態様を説明するための光路図である。
【符号の説明】
【００２１】１は直視用反射鏡
２は反射用２面鏡
２ａ，２ｂは反射平面鏡
５はカメラ
６はディスプレイ
Ｌ１〜Ｌ１５は光線
Ｍは物体像
ｍ１，ｍ５，ｍ７は前姿の虚像
ｍ２，ｍ６は後ろ姿の虚像
ｍ３，ｍ４，ｍ８，ｍ９は横姿の虚像
【図１】
2009134295.tif 000003
【図２】
2009134295.tif 000004
【図３】
2009134295.tif 000005
【図４】
2009134295.tif 000006
【図５】
2009134295.tif 000007
【図６】
2009134295.tif 000008